(57)【要約】【課題】少ない費用でシステムを導入することができるとともに、資格が不要で誰にでも容易にシステムを構築することができる居場所管理システムを提供する。【解決手段】居場所管理システムは、建物内の適宜箇所に設けられた複数の電話機１と、個人毎に設定された個人ＩＤを記憶して各個人が所持するＩＤカード２と、ＩＤカード２の個人ＩＤを読み取って出力するＩＤカードリーダ３と、ＩＤカードリーダ３及び電話機１に対応して設けられ、ＩＤカードリーダ３と電話機１から入力されたデータ及び信号をネットワーク回線６を介してサーバ５に出力したり、サーバ５から入力された電話番号データをトーン信号等に変換して電話をかける通信処理装置４と、通信処理装置４から入力された個人ＩＤと識別データを基に個人の居場所を管理するサーバ５とで構成する。【選択図】図１
2007318261.tif 000002
【特許請求の範囲】
【請求項１】
建物内における個人の居場所を管理する居場所管理システムにおいて、建物内の適宜箇所に設けられた複数の電話機と、個人毎に設定された個人ＩＤを記憶して各個人が所持するＩＤ記憶手段と、該ＩＤ記憶手段の個人ＩＤを読み取って出力する読取手段と、該読取手段及び前記電話機に対応して設けられ、ネットワーク回線を介して情報処理手段と接続して前記読取手段から入力された個人ＩＤに識別データを付加して前記情報処理手段に出力するとともに、電話回線に接続して前記電話機から発信されるトーン信号等をデータ変換して前記情報処理手段に出力し、前記情報処理手段から入力された電話番号データをトーン信号等に変換して発信する通信処理手段と、該通信処理手段から入力された個人ＩＤと識別データを基に個人の居場所を管理し、前記電話機から個人を特定する番号をダイヤルして内線電話がかけられた際に、前記通信処理手段を介して入力された番号データに該当する個人ＩＤを特定し、特定された個人ＩＤに対応する電話機の電話番号データを前記通信処理手段に出力する情報処理手段とで構成することを特徴とする居場所管理システム。
【発明の詳細な説明】
【技術分野】
【０００１】
本発明は、建物内における個人の居場所を管理するシステムに関する。
【背景技術】
【０００２】
従来、建物内において居場所を管理するシステムにおいては、特許文献１及び特許文献２に記載されるものがある。特許文献１の居場所管理システムは、個人ＩＤを記憶したＩＤ記憶手段と、ＩＤ記憶手段の個人ＩＤを読み取って識別データを付加して出力する読取手段と、読取手段に対応して設けられる電話機と、読取手段を介在させて電話機と接続した交換機と、交換機と接続した情報処理手段とで構成し、読取手段で読み取ったデータを交換機に記憶し、情報処理手段が交換機にアクセスしてデータを取り込み、取り込んだデータを処理して居場所の管理をし、ある個人に内線電話をかけたい場合は、情報処理手段を操作してその個人の居場所を探し、居場所近くの内線電話番号を調べて電話をかけるようになっていた。また、特許文献２に記載の居場所管理システムは、個人ＩＤを記憶したＩＤ記憶手段と、ＩＤ記憶手段の個人ＩＤを読み取って識別データを付加して出力する読取手段と、読取手段から入力された個人ＩＤと識別データを基に個人に最も近いと検索された電話機の内線番号データを個人ＩＤとともに出力するＩＤ認識装置と、ＩＤ認識装置から入力された個人ＩＤと内線番号データを記憶する情報処理手段と、電話機に接続された交換機とで構成し、ある個人に内線電話をかけたい場合は、電話機からその個人の個人ＩＤをダイヤルすると交換機から情報処理手段に個人ＩＤが入力され、情報処理手段は個人ＩＤに対応する内線番号データを交換機に出力して電話機を呼び出すようになっていた（例えば、特許文献１，特許文献２参照。）。
【０００３】
【特許文献１】特開平１０−９４００１号公報
【特許文献２】特開平１０−２３４０６６号公報
【発明の開示】
【発明が解決しようとする課題】
【０００４】
このように従来のシステムでは交換機を必要としており、その交換機はシステム用の特別なものとなるのでコストが高くなり、また、交換機の取り替え工事をしなければならないが工事には資格が必要になるため、一般のユーザーが容易にシステムを導入できるわけではなかった。
【課題を解決するための手段】
【０００５】
本発明は、建物内における個人の居場所を管理する居場所管理システムにおいて、建物内の適宜箇所に設けられた複数の電話機と、個人毎に設定された個人ＩＤを記憶して各個人が所持するＩＤ記憶手段と、ＩＤ記憶手段の個人ＩＤを読み取って出力する読取手段と、読取手段及び電話機に対応して設けられ、ネットワーク回線を介して情報処理手段と接続して読取手段から入力された個人ＩＤに識別データを付加して情報処理手段に出力するとともに、電話回線に接続して電話機から発信されるトーン信号等をデータ変換して情報処理手段に出力し、情報処理手段から入力された電話番号データをトーン信号等に変換して発信する通信処理手段と、通信処理手段から入力された個人ＩＤと識別データを基に個人の居場所を管理し、電話機から個人を特定する番号をダイヤルして内線電話がかけられた際に、通信処理手段を介して入力された番号データに該当する個人ＩＤを特定し、特定された個人ＩＤに対応する電話機の電話番号データを通信処理手段に出力する情報処理手段とで構成することを特徴とする。
【発明の効果】
【０００６】
本発明によれば、少ない費用でシステムを導入することができるとともに、既存の設備に装置を接続するだけなので工事や管理のための資格が不要で誰にでも容易にシステムを構築することができるという効果がある。
【発明を実施するための最良の形態】
【０００７】
居場所管理システムは、建物内の適宜箇所に設けられた複数の電話機と、個人毎に設定された個人ＩＤを記憶して各個人が所持するＩＤ記憶手段と、ＩＤ記憶手段の個人ＩＤを読み取って出力する読取手段と、読取手段及び電話機に対応して設けられ、ネットワーク回線を介して情報処理手段と接続して読取手段から入力された個人ＩＤに識別データを付加して情報処理手段に出力するとともに、電話回線に接続して電話機から発信されるトーン信号等をデータ変換して情報処理手段に出力し、情報処理手段から入力された電話番号データをトーン信号等に変換して発信する通信処理手段と、通信処理手段から入力された個人ＩＤと識別データを基に個人の居場所を管理し、電話機から個人を特定する番号をダイヤルして内線電話がかけられた際に、通信処理手段を介して入力された番号データに該当する個人ＩＤを特定し、特定された個人ＩＤに対応する電話機の電話番号データを通信処理手段に出力する情報処理手段とで構成する。
【実施例１】
【０００８】
本発明に係る居場所管理システムの実施例１を図１の添付図面に基づいて説明する。
【０００９】
居場所管理システムは、建物内の適宜箇所に設けられた複数の電話機１（１ａ，１ｂ，・・・）と、個人ＩＤを記憶したＩＤ記憶手段としてのＩＤカード２と、ＩＤカード２の個人ＩＤを読み取って出力する読取手段としてのＩＤカードリーダ３（３ａ，３ｂ，・・・）と、ＩＤカードリーダ３及び電話機１に対応して設けられる通信処理手段としての通信処理装置４（４ａ，４ｂ，・・・）と、通信処理装置４から入力されるデータを基に個人の居場所を管理する情報処理手段としてのサーバ５とで構成している。
【００１０】
ＩＤカード２に記憶される個人ＩＤは個人毎に設定され、ＩＤカード２は個人ＩＤに対応する個人が各々所持している。ＩＤカード２の個人ＩＤを読み取るＩＤカードリーダ３は建物の出入り口や部屋の出入り口などに単体で設けられたり、電話機１と一緒に設けられ、通信処理装置４は、ＩＤカードリーダ３とサーバ５とを接続するネットワーク回線６に介在するように接続されるとともに、電話機１が接続されている場合には電話機１と交換機７とを接続する電話回線８に介在するように接続され、ＩＤカードリーダ３から入力された個人ＩＤに識別データを付加してネットワーク回線６を介してサーバ５に出力するとともに、電話機１から発信されるトーン信号等をデータ変換してネットワーク回線６を介してサーバ５に出力し、サーバ５からネットワーク回線６を介して入力された電話番号データをトーン信号等に変換して電話回線８に発信するようになっている。サーバ５は個人ＩＤと識別データを基に個人の居場所を管理し、個人を特定する電話番号データが入力された場合には電話番号データに対応する個人ＩＤを検索し、検索された個人ＩＤと識別データから個人の居場所を特定して電話番号データを通信処理装置４に出力するようになっている。
【００１１】
次に居場所管理システムの動作について説明する。ＩＤカード２を所持した社員Ａが建物内に入ると出入り口のＩＤカードリーダ３ｂが個人ＩＤを読み取り、ＩＤカードリーダ３ｂから通信処理装置４ｂを介し、個人ＩＤに識別データを付加してサーバ５に出力し、サーバ５にて社員Ａが建物内にいることが記録される。そして、社員Ａが電話機１ａの近くに移動した場合、電話機１ａと一緒に設置されたＩＤカードリーダ３ａが個人ＩＤを読み取り、ＩＤカードリーダ３ａから通信処理装置４ａを介し、個人ＩＤに識別データを付加してサーバ５へ出力し、サーバ５内で社員Ａの居場所が更新されて記録される。社員Ａは移動をして新たにＩＤカードリーダ３に読み取られると同様の手順でサーバ５のデータは更新される。
【００１２】
ここで社員Ｂが社員Ａに内線電話をかけることとする。内線電話は予め設定されている社員Ａを特定する社員番号や個人ＩＤ番号などの番号を電話機１ｃからダイヤルする。電話機１ｃから発信されたトーン信号等は通信処理装置４ｃでデータ変換されてサーバ５に入力され、入力された社員番号や個人ＩＤから社員Ａを特定し、サーバ５に記録された社員Ａの個人ＩＤと識別データから個人ＩＤを読み取ったＩＤカードリーダ３ａと一緒に設置される電話機１ａの内線番号を電話番号データとしてネットワーク回線６を介して呼出元の電話機１ｃに接続される通信処理装置４ｃに出力する。通信処理装置４ｃでは電話番号データをトーン信号等に変換して電話回線８を介して交換機７に出力し、社員Ａ近くにある電話機１ａを呼び出す。
【００１３】
また、社員Ａが建物から外に出た場合は出入り口のＩＤカードリーダ３ｂが個人ＩＤを読み取って社員Ａが建物内にいないことがサーバ５に記録される。ここで社員Ｂが社員Ａに内線電話をかけると、サーバ５はデータから社員Ａが建物内にいないことが検索されるので、この場合は初期設定された内線電話に電話をかけるようになっている。
【００１４】
また、電話機１から外線電話をかけたり、電話機１に外線電話がかかってくる場合は通常通り交換機７を介して行われ、通信処理装置４は動作しない。
【００１５】
尚、本実施例においてＩＤカードリーダと通信処理装置は夫々１つの装置として設けられているが、ＩＤカードリーダと通信処理装置を一体に形成したり、電話機にＩＤカードリーダと通信処理装置を内蔵しても良い。
【図面の簡単な説明】
【００１６】
【図１】本発明に係る居場所管理システムのブロック図である。
【符号の説明】
【００１７】
１    電話機
２    ＩＤカード
３    ＩＤカードリーダ
４    通信処理装置
５    サーバ
６    ネットワーク回線
７    交換機
８    電話回線
【図１】
2007318261.tif 000003